【手続補正書】
【提出日】平成28年11月8日(2016.11.8)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
ビデオデータの第１のレイヤの中のビデオデータの第１のブロックに対して、前記第１のブロックを予測するための、時間的動きベクトルと時間的参照ピクチャ中の関連付けられる時間的参照ブロックとを決定することと、ここで、前記時間的参照ピクチャは、ピクチャ順序カウント値を有し、
前記第１のブロックと関連付けられる視差ベクトルによって示される、視差参照ピクチャ中の視差参照ブロックを決定することと、ここで、前記視差参照ピクチャは、前記第１のブロックと前記第１のブロックと異なる第２のビューを含むピクチャを含むアクセスユニットに含まれ、
前記第２のビュー中の、前記時間的参照ピクチャの前記ピクチャ順序カウント値を有する時間的視差参照ピクチャを、復号ピクチャバッファが含むかどうかを決定することと、ここで、前記時間的視差参照ピクチャは、前記時間的動きベクトルと前記視差ベクトルの組合せに基づいて位置決定され、
前記第２のビュー中の、前記時間的参照ピクチャの前記ピクチャ順序カウント値を有する前記時間的視差参照ピクチャを、前記復号ピクチャバッファが含まないという決定に基づいて、ビュー間残差予測処理を修正することと、前記ビュー間残差予測処理は、ビデオデータの前記第１のブロックについての第１の残差データを、前記第２のビューと関連付けられる第２の残差データに対してコーディングすることを備え、ここにおいて、前記第１の残差データは、前記第１のブロックのサンプルと前記時間的参照ブロックの対応するサンプルとの差を示し、前記第２の残差データは、前記視差参照ブロックのサンプルと前記第１の時間的視差参照ブロックの対応するサンプルとの差を示し、
前記修正されたビュー間残差予測処理によって、ビデオデータの前記第１のブロックの前記残差データを復号することと、
ここにおいて、前記ビュー間残差予測処理を修正することは、
前記ビュー間予測処理をディセーブルにすること、または、
前記視差参照ピクチャに時間的に最も近いピクチャを示すように、前記時間的動きベクトルをスケーリングすることを備える、
を備える方法。
【請求項２】
ビデオデータを符号化する方法であって、
ビデオデータの第１のレイヤの中のビデオデータの第１のブロックに対して、前記第１のブロックを予測するための、時間的動きベクトルと時間的参照ピクチャ中の関連付けられる時間的参照ブロックとを決定することと、ここで、前記時間的参照ピクチャは、ピクチャ順序カウント値を有し、
前記第１のブロックと関連付けられる視差ベクトルによって示される、視差参照ピクチャ中の視差参照ブロックを決定することと、ここで、前記視差参照ピクチャは、前記第１のブロックと前記第１のブロックと異なる第２のビューを含むピクチャを含むアクセスユニットに含まれ、
前記第２のビュー中の、前記時間的参照ピクチャの前記ピクチャ順序カウント値を有する時間的視差参照ピクチャを、復号ピクチャバッファが含むかどうかを決定することと、ここで、前記時間的視差参照ピクチャは、前記時間的動きベクトルと前記視差ベクトルの組合せに基づいて位置決定され、
前記第２のビュー中の、前記時間的参照ピクチャの前記ピクチャ順序カウント値を有する前記時間的視差参照ピクチャを、前記復号ピクチャバッファが含まないという決定に基づいて、ビュー間残差予測処理を修正することと、前記ビュー間残差予測処理は、ビデオデータの前記第１のブロックについての第１の残差データを、前記第２のビューと関連付けられる第２の残差データに対してコーディングすることを備え、ここにおいて、前記第１の残差データは、前記第１のブロックのサンプルと前記時間的参照ブロックの対応するサンプルとの差を示し、前記第２の残差データは、前記視差参照ブロックのサンプルと前記第１の時間的視差参照ブロックの対応するサンプルとの差を示し、
前記修正されたビュー間残差予測処理によって、ビデオデータの前記第１のブロックの前記残差データを復号することと、
ここにおいて、前記ビュー間残差予測処理を修正することは、
前記ビュー間予測処理をディセーブルにすること、または、
前記視差参照ピクチャに時間的に最も近いピクチャを示すように、前記時間的動きベクトルをスケーリングすることを備える、
を備える方法。
【請求項３】
前記視差参照ブロックを含むピクチャについての少なくとも１つの参照ピクチャリストが、前記時間的参照ピクチャの前記ピクチャ順序カウント値を有する時間的視差参照ピクチャを含むかどうかを決定することと、
前記視差参照ブロックを含むピクチャについての少なくとも１つの参照ピクチャリストが、前記時間的参照ピクチャの前記ピクチャ順序カウント値を有する時間的視差参照ピクチャを含まないという前記決定に基づいて、前記第１のブロックの残差データを予測するための前記ビュー間残差予測処理を修正することとをさらに備える、請求項１または２に記載の方法。
【請求項４】
前記視差参照ブロックは第１の参照ピクチャリストおよび第２の参照ピクチャリストと関連付けられ、
前記第１の参照ピクチャリストおよび前記第２の参照ピクチャリストのどちらも、前記時間的参照ピクチャの前記ピクチャ順序カウント値を有する時間的視差参照ピクチャを含まないとき、前記第１のブロックの残差データを予測するための前記ビュー間残差予測処理を修正することをさらに備える、請求項１または２に記載の方法。
【請求項５】
ビデオデータを復号するための装置であって、
ビデオデータの第１のレイヤの中のビデオデータの第１のブロックに対して、前記第１のブロックを予測するための、時間的動きベクトルと時間的参照ピクチャ中の関連付けられる時間的参照ブロックとを決定するための手段と、ここで、前記時間的参照ピクチャは、ピクチャ順序カウント値を有し、
前記第１のブロックと関連付けられる視差ベクトルによって示される、視差参照ピクチャ中の視差参照ブロックを決定するための手段と、ここで、前記視差参照ピクチャは、前記第１のブロックと前記第１のブロックと異なる第２のビューを含むピクチャを含むアクセスユニットに含まれ、
前記第２のビュー中の、前記時間的参照ピクチャの前記ピクチャ順序カウント値を有する時間的視差参照ピクチャを、復号ピクチャバッファが含むかどうかを決定するための手段と、ここで、前記時間的視差参照ピクチャは、前記時間的動きベクトルと前記視差ベクトルの組合せに基づいて位置決定され、
前記復号ピクチャバッファが、前記時間的視差参照ピクチャを含まないという決定に基づいて、ビュー間残差予測処理を修正するための手段と、前記ビュー間残差予測処理は、ビデオデータの前記第１のブロックについての第１の残差データを、前記第２のビューと関連付けられる第２の残差データに対してコーディングすることを備え、ここにおいて、前記第１の残差データは、前記第１のブロックのサンプルと前記時間的参照ブロックの対応するサンプルとの差を示し、前記第２の残差データは、前記視差参照ブロックのサンプルと前記第１の時間的視差参照ブロックの対応するサンプルとの差を示し、
前記修正されたビュー間残差予測処理によって、ビデオデータの前記第１のブロックについて前記残差を復号するための手段と、
ここにおいて、前記ビュー間残差予測処理を修正することは、
前記ビュー間予測処理をディセーブルにすること、または、
前記視差参照ピクチャに時間的に最も近いピクチャを示すように、前記時間的動きベクトルをスケーリングすることを備える、
を備える装置。
【請求項６】
ビデオデータを符号化するための装置であって、
ビデオデータの第１のレイヤの中のビデオデータの第１のブロックに対して、前記第１のブロックを予測するための、時間的動きベクトルと、時間的参照ピクチャ中の関連付けられる時間的参照ブロックとを決定するための手段と、ここで、前記時間的参照ピクチャは、ピクチャ順序カウント値を有し、
前記第１のブロックと関連付けられる視差ベクトルによって示される、視差参照ピクチャ中の視差参照ブロックを決定するための手段と、ここで、前記視差参照ピクチャは、前記第１のブロックと前記第１のブロックと異なる第２のビューを含むピクチャを含むアクセスユニットに含まれ、
前記第２のビュー中の、前記時間的参照ピクチャの前記ピクチャ順序カウント値を有する時間的視差参照ピクチャを、復号ピクチャバッファが含むかどうかを決定するための手段と、ここで、前記時間的視差参照ピクチャは、前記時間的動きベクトルと前記視差ベクトルの組合せに基づいて位置決定され、
前記復号ピクチャバッファが、前記時間的視差参照ピクチャを含まないという決定に基づいて、ビュー間残差予測処理を修正するための手段と、前記ビュー間残差予測処理は、ビデオデータの前記第１のブロックについての第１の残差データを、前記第２のビューと関連付けられる第２の残差データに対してコーディングすることを備え、ここにおいて、前記第１の残差データは、前記第１のブロックのサンプルと前記時間的参照ブロックの対応するサンプルとの差を示し、前記第２の残差データは、前記視差参照ブロックのサンプルと前記第１の時間的視差参照ブロックの対応するサンプルとの差を示し、
前記修正されたビュー間残差予測処理によって、ビデオデータの前記第１のブロックについて前記残差を符号化するための手段と、
ここにおいて、前記ビュー間残差予測処理を修正することは、
前記ビュー間予測処理をディセーブルにすること、または、
前記視差参照ピクチャに時間的に最も近いピクチャを示すように、前記時間的動きベクトルをスケーリングすることを備える、
を備える装置。
【請求項７】
前記第１のブロックについて前記残差を符号化するための前記手段は、前記ビュー間残差予測処理によって前記残差を復号するための手段を備え、前記ビュー間残差予測処理によって前記残差を復号するための前記手段は、
前記時間的動きベクトルと前記視差ベクトルの前記組合せに基づいて、前記時間的視差参照ブロックを決定するための手段と、
符号化されたビットストリームから、前記第１のブロックについて前記残差を取得するための手段と、
前記視差参照ブロックと前記時間的視差参照ブロックとの差に基づいて、残差予測子を決定するための手段と、
前記残差、前記残差予測子、および前記時間的参照ブロックの組合せに基づいて、前記ブロックを再構築するための手段と、を備える、請求項５に記載の装置。
【請求項８】
前記第１のブロックについて前記残差を符号化するための前記手段は、前記ビュー間残差予測処理によって前記残差を符号化するための手段を備え、前記ビュー間残差予測処理によって前記残差を符号化するための前記手段は、
前記時間的動きベクトルと前記視差ベクトルの前記組合せに基づいて、前記時間的視差参照ブロックを決定するための手段と、
前記第１のブロックと前記時間的参照ブロックとの差を備える第１の残差を決定するための手段と、
前記視差参照ブロックと前記時間的視差参照ブロックとの差を備える残差予測子を決定するための手段と、
前記第１の残差と前記残差予測子との差に基づいて、前記残差を決定するための手段と、
前記残差を示すデータをビットストリーム中に符号化するための手段と、を備える、請求項６に記載の装置。
【請求項９】
前記視差参照ブロックを含むピクチャについての少なくとも１つの参照ピクチャリストが、前記時間的参照ピクチャの前記ピクチャ順序カウント値を有する時間的視差参照ピクチャを含むかどうかを決定するための手段と、
前記視差参照ブロックを含むピクチャに対する少なくとも１つの参照ピクチャリストが、前記時間的参照ピクチャの前記ピクチャ順序カウント値を有する時間的視差参照ピクチャを含まないという前記決定に基づいて、前記第１のブロックの残差データを予測するための前記ビュー間残差予測処理を修正するための手段とをさらに備える、請求項５または６に記載の装置。
【請求項１０】
前記視差参照ブロックは第１の参照ピクチャリストおよび第２の参照ピクチャリストと関連付けられ、
前記第１の参照ピクチャリストおよび前記第２の参照ピクチャリストのどちらも、前記時間的参照ピクチャの前記ピクチャ順序カウント値を有する時間的視差参照ピクチャを含まないとき、前記第１のブロックの残差データを予測するための前記ビュー間残差予測処理を修正するための手段をさらに備える、請求項５または６に記載の装置。
【請求項１１】
命令を記憶した非一時的コンピュータ可読媒体であって、前記命令は、実行されると、１つまたは複数のプロセッサに、請求項１から４のいずれかに記載の方法を実行させる、非一時的コンピュータ可読媒体。